(57)【要約】【課題】  ＩＣカードの挿入／抜去時におけるＩＣカードのコネクタ挿入口からの出っ張りを可及的に少なくし、しかも、構造が簡単で安価なコネクタを提供すること。【解決手段】  コネクタハウジングに、ＩＣカードとともに挿入と抜去の可能なスライダを介在し、このスライダは、ＩＣカード載置用のトレー部と、トレー部の手前側に中折れ可能に設けられた開閉蓋と、開閉蓋の縁部に設けられたＩＣカードの抜け出し防止用の鍔部と、トレー部の手前側角隅部の位置に引き出し取っ手部とを有し、また、トレー部の両側から伸びたアームの下面にクリック凹凸部と係止段部とを形成し、コネクタハウジングの上面に、クリック凹凸部に係脱し、係止段部に係止するへ字形の板ばねを設けたものである。【選択図】  図１
2006209992.tif 000002
【特許請求の範囲】
【請求項１】
ＩＣカードをコネクタハウジングに差し込んで前記ＩＣカードの電極を前記コネクタハウジング内のコンタクトに接続するようにしたＩＣカード用コネクタにおいて、前記コネクタハウジングに、前記ＩＣカードとともに挿入と抜去の可能なスライダを介在したことを特徴とするＩＣカード用コネクタ。
【請求項２】
ＩＣカードをコネクタハウジングに差し込んで前記ＩＣカードの電極を前記コネクタハウジング内のコンタクトに接続するようにしたＩＣカード用コネクタにおいて、前記コネクタハウジングに、前記ＩＣカードとともに挿入と抜去の可能なスライダを介在し、このスライダは、ＩＣカードを載せるためのトレー部と、このトレー部の手前側にヒンジ部を介在して中折れ可能に設けられた開閉蓋と、この開閉蓋の縁部に設けられたＩＣカードの抜け出し防止用の鍔部とからなることを特徴とするＩＣカード用コネクタ。
【請求項３】
ＩＣカードをコネクタハウジングに差し込んで前記ＩＣカードの電極を前記コネクタハウジング内のコンタクトに接続するようにしたＩＣカード用コネクタにおいて、前記コネクタハウジングに、前記ＩＣカードとともに挿入と抜去の可能なスライダを介在し、このスライダは、ＩＣカードを載せるためのトレー部と、このトレー部の手前側に屈曲用の肉薄部を介在して中折れ可能に設けられた開閉蓋と、この開閉蓋の縁部に設けられたＩＣカードの抜け出し防止用の鍔部とからなることを特徴とするＩＣカード用コネクタ。
【請求項４】
ＩＣカードをコネクタハウジングに差し込んで前記ＩＣカードの電極を前記コネクタハウジング内のコンタクトに接続するようにしたＩＣカード用コネクタにおいて、前記コネクタハウジングに、前記ＩＣカードとともに挿入と抜去の可能なスライダを介在し、このスライダは、ＩＣカードを載せるためのトレー部と、このトレー部の手前側の縁部に設けられたＩＣカードの抜け出し防止用の鍔部と、前記トレー部の手前側に設けられた抜き出し切り欠き部とからなることを特徴とするＩＣカード用コネクタ。
【請求項５】
ＩＣカードのもつ切り欠き面に対応したトレー部の手前側角隅部の位置に引き出し取っ手部を形成したことを特徴とする請求項２、３又は４記載のＩＣカード用コネクタ。
【請求項６】
ＩＣカードをコネクタハウジングに差し込んで前記ＩＣカードの電極を前記コネクタハウジング内のコンタクトに接続するようにしたＩＣカード用コネクタにおいて、前記コネクタハウジングに、前記ＩＣカードとともに挿入と抜去の可能なスライダを介在し、このスライダは、ＩＣカードを載せるためのトレー部と、このトレー部の両側から奥行き側へ伸びた細幅のアームと、このアームの下面の中間部に形成したクリック凹凸部と、このアームの下面の先端側に形成した係止段部とを具備し、前記コネクタハウジングの上面に、クリック凹凸部に係脱し、係止段部に係止するへ字形の板ばねを設けたことを特徴とするＩＣカード用コネクタ。
【発明の詳細な説明】
【技術分野】
【０００１】
本発明は、主に携帯電話機にＩＣカードを着脱自在に取り付けるためのＩＣカード用コネクタに関するものである。
【背景技術】
【０００２】
国際的に使用可能な携帯電話機を自国以外の国で使用するときには、当該国専用のＩＣカードを購入する。このＩＣカードは、形態は、ヨーロッパの規格品であるＳＩＭカードが一般に使用されているが、記憶されているプログラムソフト、データ等は、その国の固有のものであるため、ＩＣカードを当該国専用のＩＣカードと交換しなければならない。
【０００３】
携帯電話機におけるＩＣカードの挿入／抜去は、携帯電話機の裏蓋を開け、必要に応じて電池等を取り外して行なうが、このＩＣカードの挿入／抜去の方法には、スライド式が一般的に使用されている（特許文献１、特許文献２など）。
ＩＣカードは、一端部を親指と人差し指で掴んで持ちながらコネクタの挿入孔に挿入したり抜去したりする。このＩＣカードは、長さ×幅×厚さ＝２５ｍｍ×１５ｍｍ×０．５ｍｍ程度と極めて小さいので、前記スライド式の場合、ＩＣカードの掴み代分だけコネクタの挿入口から出っ張らせておく必要がある。
この出っ張りを少なくする方法として、プッシュ・イン／プッシュ・アウト方式がある（特許文献３）。このプッシュ・イン／プッシュ・アウト方式は、ハート形カムを使用し、最初のプッシュでハート形カムの一方の側面を移動してロック溝部分に係止し、つぎのプッシュでロック溝部分を外れ、他方の側面を移動してもとへ戻るようにしたものである。このような構成とすることで、掴み代部分を必要とせず、単にハート型カムのストロークと略同じ距離分だけ進退すればよい。
【特許文献１】特開２００１―３２６０２８号公報
【特許文献２】特開２００３―１７３８４４号公報
【特許文献３】特開２００３―３１７８６０号公報
【発明の開示】
【発明が解決しようとする課題】
【０００４】
解決しようとする問題点はつぎの通りである。
スライド式の場合、ＩＣカードの掴み代分だけコネクタの挿入口から出っ張らせておく必要があること、親指と人差し指で掴むために指が入るだけの空間を必要とすることなど、不必要な空間ができる。また、コネクタの挿入口から出っ張っているＩＣカードの掴み代部分が他の外力を受けて変形したり、誤動作したりする恐れがある。
これに対し、プッシュ・イン／プッシュ・アウト方式は、出っ張り部分が少なくて済むので、スライド式の欠点は解消されるが、プッシュ・イン／プッシュ・アウトのためのハート型カム機構が複雑で高価となり、しかも、外形寸法も大型になる。
【０００５】
本発明は、ＩＣカードの挿入／抜去時におけるＩＣカードのコネクタ挿入口からの出っ張りを可及的に少なくし、しかも、構造が簡単で安価なコネクタを提供することを目的とするものである。
【課題を解決するための手段】
【０００６】
本発明は、コネクタハウジング１４の挿入孔に直接ＩＣカード１２を出し入れするのではなく、ＩＣカード１２をトレー部３３に載せて出し入れする。トレー部３３を利用することで、ＩＣカード１２のもつ切り欠き面３２に対応するトレー部３３の手前側角隅部分に引き出し取っ手部４２を形成する。この引き出し取っ手部４２部分に指の爪等を掛けてＩＣカード１２をトレー部３３とともに引き出す。トレー部３３の先端の開閉蓋３６部分をヒンジ部３９により中折り自在としておき、トレー部３３を引き出した後で、開閉蓋３６を中折りしてＩＣカード１２の端部を露出させることで、ＩＣカード１２だけを抜き出すことができる。
ＩＣカード１２を差し込むときには、トレー部３３にＩＣカード１２を嵌め込みＩＣカード１２の端部をコネクタハウジング１４の挿入孔に押し込むと、押し込み動作に連動して開閉蓋３６が突出孔２２側に接近してトレー部３３はＩＣカード１２と一体に差し込まれる。
トレー部３３には、挿入時のクリック感を付与する構造を付加し、また、ＩＣカード１２を抜き取るときにトレー部３３が途中で停止する構造を付加することで、ＩＣカード１２に特別な構造をもたせる必要がなくなる。
【発明の効果】
【０００７】
請求項１記載の発明によれば、ＩＣカードをコネクタハウジングに差し込んでＩＣカードの電極をコネクタハウジング内のコンタクトに接続するようにしたＩＣカード用コネクタにおいて、コネクタハウジングに、ＩＣカードとともに挿入と抜去の可能なスライダを介在したので、ＩＣカードのコネクタの挿入口から出っ張っている部分が少なくて済み、スライド式の場合の問題点を解決できる。すなわち、ＩＣカードの掴み代分だけコネクタの挿入口から出っ張らせておく必要があること、親指と人差し指で掴むために指が入るだけの空間を必要とすることなど、不必要な空間ができるというスライド式の場合の問題点を解決できる。また、コネクタの挿入口から出っ張っているＩＣカードの掴み代部分が他の外力を受けて変形したり、誤動作したりする恐れがあるというスライド式の場合の問題点を解決できる。さらに、本発明によれば、構造が簡単であり、ハート型カム機構が複雑で高価となり、しかも、外形寸法も大型になるというプッシュ・イン／プッシュ・アウト方式の問題点を解決できる。
【０００８】
請求項２記載の発明によれば、スライダは、ＩＣカードを載せるためのトレー部と、このトレー部の手前側にヒンジ部を介在して中折れ可能に設けられた開閉蓋と、この開閉蓋の縁部に設けられたＩＣカードの抜け出し防止用の鍔部とからなるので、ＩＣカードのスライダへの出し入れが簡単で、しかも、挿入後のＩＣカードは、開閉蓋の縁部で抑えられ携帯電話機などの動きのあるものに使用した場合でも確実に保持できる。
【０００９】
請求項３記載の発明によれば、スライダは、ＩＣカードを載せるためのトレー部と、このトレー部の手前側に屈曲用の肉薄部を介在して中折れ可能に設けられた開閉蓋と、この開閉蓋の縁部に設けられたＩＣカードの抜け出し防止用の鍔部とからなるので、開閉蓋を中折れさせるための特別の部品を必要とせず、構成部品を少なくしてより安価に提供できる。
【００１０】
請求項４記載の発明によれば、スライダは、ＩＣカードを載せるためのトレー部と、このトレー部の手前側の縁部に設けられたＩＣカードの抜け出し防止用の鍔部と、トレー部の手前側に設けられた抜き出し切り欠き部とからなるので、スライダの一部を中折れすることなく、スライダを途中まで引き出してＩＣカードを出し入れすることができる。
【００１１】
請求項５記載の発明によれば、トレー部の手前側角隅部であって、ＩＣカードが特有の形状として持っている切り欠き面に対応した位置に引き出し取っ手部を形成したので、スライダを摘まむだけの突出部分がなくても確実に抜去できる。
【００１２】
請求項６記載の発明によれば、スライダは、ＩＣカードを載せるためのトレー部と、このトレー部の両側から奥行き側へ伸びた細幅のアームと、このアームの下面の中間部に形成したクリック凹凸部と、このアームの下面の先端側に形成した係止段部とを具備し、コネクタハウジングの上面に、クリック凹凸部に係脱し、係止段部に係止するへ字形の板ばねを設けたので、ＩＣカードに、係脱時にクリック感やストッパとして作用する凹凸などがないものでも、スライダとコネクタハウジングとの間でクリック感とストッパ機能を持たせることができる。
【発明を実施するための最良の形態】
【００１３】
本発明は、ＩＣカードをコネクタハウジングに差し込んでＩＣカードの電極をコネクタハウジング内のコンタクトに接続するために、前記コネクタハウジングに、前記ＩＣカードとともに挿入と抜去の可能なスライダを介在する。
このスライダは、ＩＣカードを載せるためのトレー部と、このトレー部の手前側にヒンジ部を介在して中折れ可能に設けられた開閉蓋と、この開閉蓋の縁部に設けられたＩＣカードの抜け出し防止用の鍔部とで構成する。
また、このスライダは、中折れのために、ヒンジを用いることなく、トレー部の手前側に屈曲用の肉薄部を介在して中折れ可能に開閉蓋を形成することができる。
さらに、このスライダは、中折れとすることなくトレー部の手前側に抜き出し切り欠き部を設けることでもＩＣカードの出し入れが可能である。
必要最小限に突出させるだけで挿入／抜去が可能とするために、ＩＣカードのもつ切り欠き面に対応したトレー部の手前側角隅部の位置に引き出し取っ手部を形成する。
ＩＣカードの形状に拘わらず、クリック感とストッパとしての機能を持たせるために、スライダは、ＩＣカードを載せるためのトレー部の両側から奥行き側へ伸びた細幅のアームの下面の中間部に形成したクリック凹凸部と、このアームの下面の先端側に形成した係止段部とを形成し、コネクタハウジングの上面に、クリック凹凸部に係脱し、係止段部に係止するへ字形の板ばねを設ける。
【実施例１】
【００１４】
以下、本発明の実施例１を図面に基づき説明する。
図４は、携帯電話機１０の裏蓋を外し、電池収納部１１から電池を取り出した状態を示している。この電池収納部１１には、本発明によるＩＣカード用コネクタが設けられ、このＩＣカード用コネクタのコネクタハウジング１４には、ＩＣカード１２がスライダ１３とともに挿入／抜去することができるようになっている。
前記ＩＣカード１２は、長さ×幅×厚さ＝２５ｍｍ×１５ｍｍ×０．５ｍｍ程度で、図２に示すように、下面に８個の電極３１を有し、かつ、前端の一方部を斜めに切り欠いた切り欠き面３２を有するもので、例えば、ヨーロッパ規格品のＳＩＭカードが使用され、内部に記憶されているプログラムソフト、データ等は、当該国固有である。
【００１５】
本発明によるＩＣカード用コネクタは、図１及び図２に示すように、前記コネクタハウジング１４と、このコネクタハウジング１４の上から被せるカバー１５と、ＩＣカード１２と共に出し入れするスライダ１３とで構成されている。
前記コネクタハウジング１４は、前記ＩＣカード１２が挿入される幅を有する底板部２６と両側の背の低い側板１６とで構成されている。前記底板部２６には、前後３列ずつの長孔５１が穿設され、これらの長孔５１の上面には、それぞれコンタクト２０の湾曲面部分が突出している。これらの長孔５１とコンタクト２０は、図１（ａ）に示すようにＩＣカード１２の挿入方向に対してやや角度をもって設けられ、これらのコンタクト２０の端子部２１は、下面に露出しており、組み立て時にＰＣ基板４７に半田付けされる。また、前記側板１６の内側には、それぞれ浅いガイド溝１７が設けられ、このガイド溝１７の途中には下まで貫通した突出孔２２が形成され、この突出孔２２には、へ字形に折曲した板ばね１９がガイド溝１７よりやや上まで突出して設けられている。前記両側の側板１６の上面には、後述するカバー１５を係止するための係止切り欠き１８が形成されている。前記側板１６の前端部には、カバー１５の端部に当接する突起４８が外側にやや突出して設けられている。
【００１６】
前記カバー１５は、薄い金属板を折曲して形成したもので、天板部２３とその両側の側板部２５と後ろ側の後方ストッパ２７とからなり、前記両側の側板部２５から下面側に折り返し片２９が形成されている。前記天板部２３の中央部には、窓孔２４が設けられ、また、前面側には弧状凹部３０が形成されている。前記両側の側板部２５には、係止ばね片２８がそれぞれ内側に切り起こして形成されている。
【００１７】
前記スライダ１３は、トレー部３３と、このトレー部３３の両側から後方に伸びたアーム３４が一体に設けられ、前記ＩＣカード１２を重ねたとき、その電極３１が下面に露出する空間が形成されている。前記各アーム３４の先端部には、カードストッパ３５が上向きに突出して設けられている。また、これら両側のアーム３４の下面には、図１（ａ）（ｂ）に示すように、先端部にストッパ４３が形成され、中間部にテーパーを有するクリック凹凸部４４が形成されている。
前記トレー部３３の両側には鍔部３８が設けられ、かつ、一方の鍔部３８には、外側に突出したストッパ５０が形成されている。また、前記トレー部３３の前端部には、開閉蓋３６がヒンジ部３９の軸４０部分によって中折れ可能に連結されている。この開閉蓋３６には、前記ＩＣカード１２の形状に合せた収納凹部３７となリ、かつ、収納後にＩＣカード１２が抜け出ないように鍔部４１が形成され、また、開閉蓋３６の角部であって、前記ＩＣカード１２のもつ切り欠き面３２に対応した位置に引き出し取っ手部４２が一体に設けられている。
【００１８】
以上のように構成された各部品の組み立て順序を説明する。
コネクタハウジング１４の後方からカバー１５を嵌め込むと、天板部２３，側板部２５，折り返し片２９からなるカバー１５がコネクタハウジング１４の側板１６にスライドしながら嵌合し、カバー１５の係止ばね片２８がコネクタハウジング１４の係止切り欠き１８に係止すると共に、側板部２５の前端部分が突起４８に当接して固着される。
このコネクタハウジング１４とカバー１５で形成されたカード挿入口４９の両側のガイド溝１７に、スライダ１３のアーム３４を差し込むと、アーム３４の先端部が板ばね１９に接触するので、さらに圧入すると、板ばね１９を押し下げながら侵入し、ストッパ４３を乗り越える（図１（ｂ））。さらにスライダ１３を挿入すると、アーム３４の下面中間部で板ばね１９に接するので、さらに圧入すると、板ばね１９を押し下げながらクリック凹凸部４４を乗り越える（図１（ｃ））。この状態では、スライダ１３の開閉蓋３６の一部の引き出し取っ手部４２の部分が突出している。
【００１９】
このようにして組み立てられたＩＣカード用コネクタへのＩＣカード１２の挿入／抜去について説明する。
ＩＣカード用コネクタのカード挿入口４９からスライダ１３を抜き出すと、スライダ１３のストッパ４３が板ばね１９に係止して、スライダ１３はそれ以上抜き出せない。スライダ１３は、抜き出すと、開閉蓋３６が自重によりヒンジ部３９の部分で折れ曲がり、収納凹部３７部分が開口する。この状態でＩＣカード１２をスライダ１３の収納凹部３７に差し込むと、図１（ｂ）の鎖線のように、ＩＣカード１２の先端部分がカードストッパ３５に当接する。このまま、ＩＣカード１２を押し込むと、ＩＣカード１２とスライダ１３は一体となってＩＣカード用コネクタに挿入され、さらに押し込むと、開閉蓋３６が携帯電話機１０の開口部に接触しながら挿入されて軸４０を支点として持ち上げられ、開閉蓋３６の収納凹部３７にＩＣカード１２が収納される。さらにやや強く押し込むと、クリック凹凸部４４が板ばね１９を押し下げてクリック感を生じさせ、図１（ｃ）に示すように、クリック凹凸部４４のテーパー部分に板ばね１９の頂部が係止して携帯電話機１０を斜めにしたり、手にとって動かしたりしても、スライダ１３が抜け出るのが防止される。
このとき、ＩＣカード１２の電極３１がコネクタハウジング１４の所定のコンタクト２０に接触する。
【００２０】
ＩＣカード１２を取り出すときには、開閉蓋３６の引き出し取っ手部４２に指の爪等を引っ掛けてスライダ１３をやや強く引き出すと、板ばね１９の頂部をクリック凹凸部４４のテーパー部分で押し下げながら乗り越える。さらに引き出すと、板ばね１９がストッパ４３に係止してそれ以上引き出されることはない。このとき、ＩＣカード１２の電極３１がコネクタハウジング１４の所定のコンタクト２０から離れる。スライダ１３をＩＣカード１２とともに引き出した後、引き出し取っ手部４２から指等を離すと、開閉蓋３６は、軸４０を支点として自重で下方へ折れ曲がり、ＩＣカード１２の端部が露出するので、このＩＣカード１２の先端部を指で摘まんで抜き出す。
【実施例２】
【００２１】
前記実施例１では、スライダ１３の開閉蓋３６がトレー部３３にヒンジ部３９をもって連結し、軸４０を支点にして回動して中折れできるようにした。
しかし、これに限られるものではなく、前記コネクタハウジング１４におけるトレー部３３と開閉蓋３６の連結部分に、上向き又は下向きのＶ溝を形成して屈曲用の肉薄部とし、この肉薄部で中折れ可能にすることができる。
【実施例３】
【００２２】
前記実施例１では、スライダ１３の開閉蓋３６がトレー部３３にヒンジ部３９をもって連結し、軸４０を支点にして回動して中折れできるようにし、また、前記実施例２では、肉薄部で中折れできるようにした。
しかし、これに限られるものではなく、図３に示すように、トレー部３３の先端部の収納凹部３７まで一体に構成し、先端部に抜き出し切り欠き部４６を形成するようにしても良い。このような構成とすることにより、ＩＣカード１２をスライダ１３に差し込むとき、ＩＣカード１２が鍔部４１の高さ分だけ斜めに挿入されるが、この斜め挿入による問題を避けるためには、この鍔部４１の高さを携帯電話機１０の通常の使用状態で動かしても、ＩＣカード１２がスライダ１３から抜け出ることのない範囲内で可能な限り低くすればよい。
【図面の簡単な説明】
【００２３】
【図１】本発明によるＩＣカード用コネクタの実施例１を示すもので、（ａ）は、一部を切り欠いた平面図、（ｂ）は、スライダ１３を抜き出した状態の縦断面図、（ｃ）は、スライダ１３を差し込んだ状態の縦断面図である。
【図２】本発明によるＩＣカード用コネクタの実施例１を示す分解斜視図である。
【図３】本発明によるＩＣカード用コネクタの実施例３を示す分解斜視図である。
【図４】本発明によるＩＣカード用コネクタを携帯電話機１０に装着した状態の斜視図である。
【符号の説明】
【００２４】
１０…携帯電話機、１１…電池収納部、１２…ＩＣカード、１３…スライダ、１４…コネクタハウジング、１５…カバー、１６…側板、１７…ガイド溝、１８…係止切り欠き、１９…板ばね、２０…コンタクト、２１…端子部、２２…突出孔、２３…天板部、２４…窓孔、２５…側板部、２６…底板部、２７…後方ストッパ、２８…係止ばね片、２９…折り返し片、３０…弧状凹部、３１…電極、３２…切り欠き面、３３…トレー部、３４…アーム、３５…カードストッパ、３６…開閉蓋、３７…収納凹部、３８…鍔部、３９…ヒンジ部、４０…軸、４１…鍔部、４２…引き出し取っ手部、４３…ストッパ、４４…クリック凹凸部、４５…係止段部、４６…抜き出し切り欠き部、４７…ＰＣ基板、４８…突起、４９…カード挿入口、５０…ストッパ、５１…長孔。
【図１】
2006209992.tif 000003
【図２】
2006209992.tif 000004
【図３】
2006209992.tif 000005
【図４】
2006209992.tif 000006